【手続補正書】
【提出日】平成16年7月9日(2004.7.9)
【手続補正１】
【補正対象書類名】明細書
【補正対象項目名】発明の名称
【補正方法】変更
【補正の内容】
【発明の名称】接続構造、メモリカード及びメモリカードの装着装置
【手続補正２】
【補正対象書類名】明細書
【補正対象項目名】特許請求の範囲
【補正方法】変更
【補正の内容】
【特許請求の範囲】
【請求項１】
平面形状が略長方形のカード本体に設けられる接続構造であって、
上記カード本体の挿入方向に沿って並列して配置された複数の外部接続用端子を備え、
上記外部接続用端子は、デジタル信号転送用の端子と、リザーブ用端子とを有し、上記リザーブ用端子は、信号入力用又は出力用端子として使用することによって、上記デジタル信号転送用の端子と合わせてパラレルインターフェースによる接続を可能とすることを特徴とする接続構造。
【請求項２】
上記外部接続用端子は、両端の電圧供給端子（Ｖｓｓ）、ステータス端子（Ｓｔａｔｅ）、デジタル信号入力出力端子（ＤＩＯ）、同期信号入力端子（ＳＣＬＫ）、ＩＮＴ端子、電圧供給端子（Ｖｃｃ）、リザーブ端子（Ｒｅ）を有することを特徴とする請求項１記載の接続構造。
【請求項３】
平面形状が略長方形のカード本体に設けられる接続構造であって、
上記カード本体の挿入方向前端からカード本体上面に亘って開口する凹状部と、
上記カード本体の挿入方向に沿って上記凹状部内に並列して配置された複数の外部接続用端子とを備え、
上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、
上記外部接続用端子の中央の端子がグランドに接続されることを特徴とする接続構造。
【請求項４】
平面形状が略長方形のカード本体に設けられる接続構造であって、
上記カード本体の挿入方向前端からカード本体上面に亘って開口する凹状部と、
上記カード本体の挿入方向に沿って上記凹状部内に並列して配置された複数の外部接続用端子とを備え、
上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、
上記外部接続用端子の中央の端子がＩＮＴ端子であることを特徴とする接続構造。
【請求項５】
平面形状が略長方形のカード本体の挿入方向に沿って並列して配置された複数の外部接続用端子を備え、
上記外部接続用端子は、デジタル信号転送用の端子と、リザーブ用端子とを有し、上記リザーブ用端子は、信号入力用又は出力用端子として使用することによって、上記デジタル信号転送用の端子と合わせてパラレルインターフェースによる接続を可能とすることを特徴とするメモリカード。
【請求項６】
平面形状が略長方形のカード本体の挿入方向前端からカード本体上面に亘って開口する凹状部と、
上記カード本体の挿入方向に沿って上記凹状部内に並列して配置された複数の外部接続用端子とを備え、
上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、
上記外部接続用端子の中央の端子がグランドに接続されることを特徴とするメモリカード。
【請求項７】
平面形状が略長方形のカード本体の挿入方向前端からカード本体上面に亘って開口する凹状部と、
上記カード本体の挿入方向に沿って上記凹状部内に並列して配置された複数の外部接続用端子とを備え、
上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、
上記外部接続用端子の中央の端子がＩＮＴ端子であることを特徴とするメモリカード。
【請求項８】
平面形状が略長方形のカード本体に設けられた外部接続端子を介して接続されてメモリカードが装着される装着装置であって、
平面形状が略長方形のカード本体の挿入方向に沿って並列して配置された複数の外部接続用端子を備え、上記外部接続用端子は、デジタル信号転送用の端子と、リザーブ用端子とを有し、上記リザーブ用端子は、信号入力用又は出力用端子として使用することによって、上記デジタル信号転送用の端子と合わせてパラレルインターフェースによる接続を可能とするメモリカードが装着されるメモリカードの装着装置。
【請求項９】
平面形状が略長方形のカード本体に設けられた外部接続端子を介して接続されてメモリカードが装着される装着装置であって、
平面形状が略長方形のカード本体の挿入方向前端からカード本体上面に亘って開口する凹状部と、上記カード本体の挿入方向に沿って上記凹状部内に並列して配置された複数の外部接続用端子とを備え、上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、上記外部接続用端子の中央の端子がグランドに接続されるメモリカードが装着されるメモリカードの装着装置。
【請求項１０】
平面形状が略長方形のカード本体に設けられた外部接続端子を介して接続されてメモリカードが装着される装着装置であって、
平面形状が略長方形のカード本体の挿入方向前端からカード本体上面に亘って開口する凹状部と、上記カード本体の挿入方向に沿って上記凹状部内に並列して配置された複数の外部接続用端子とを備え、上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、上記外部接続用端子の中央の端子がＩＮＴ端子であるメモリカードが装着される装着装置。
【請求項１１】
平面形状が略長方形のカード本体に設けられた外部接続端子を介して接続されてメモリカードが装着される情報信号の書き込み又は読み出しシステムであって、
平面形状が略長方形のカード本体の挿入方向に沿って並列して配置された複数の外部接続用端子を備え、上記外部接続用端子は、デジタル信号転送用の端子と、リザーブ用端子とを有し、上記リザーブ用端子は、信号入力用又は出力用端子として使用することによって、上記デジタル信号転送用の端子と合わせてパラレルインターフェースによる接続を可能とするメモリカードが装着される情報信号の書き込み又は読み出しシステム。
【請求項１２】
平面形状が略長方形のカード本体に設けられた外部接続端子を介して接続されてメモリカードが装着される情報信号の書き込み又は読み出しシステムであって、
平面形状が略長方形のカード本体の挿入方向前端からカード本体上面に亘って開口する凹状部と、上記カード本体の挿入方向に沿って上記凹状部内に並列して配置された複数の外部接続用端子とを備え、上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、上記外部接続用端子の中央の端子がグランドに接続されるメモリカードが装着される情報信号の書き込み又は読み出しシステム。
【請求項１３】
平面形状が略長方形のカード本体に設けられた外部接続端子を介して接続されてメモリカードが装着される情報信号の書き込み又は読み出しシステムであって、
平面形状が略長方形のカード本体の挿入方向前端からカード本体上面に亘って開口する凹状部と、上記カード本体の挿入方向に沿って上記凹状部内に並列して配置された複数の外部接続用端子とを備え、上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、上記外部接続用端子の中央の端子がＩＮＴ端子であるメモリカードが装着される情報信号の書き込み又は読み出しシステム。
【手続補正３】
【補正対象書類名】明細書
【補正対象項目名】０００１
【補正方法】変更
【補正の内容】
【０００１】
【発明の属する技術分野】
本発明は、装着装置に装着されて情報信号の書き込み又は読み出しが行われるメモリカードの接続構造、メモリカード、このメモリカードが装着される装着装置、さらに情報信号の書き込み又は読み出しシステムに関する。
【手続補正４】
【補正対象書類名】明細書
【補正対象項目名】０００９
【補正方法】変更
【補正の内容】
【０００９】
さらに、本発明は、このメモリカードが装着が装着される装着装置、さらに、メモリカードを用いて情報信号の書き込み又は読み出しを行うシステムを提供することを目的とする。
【手続補正５】
【補正対象書類名】明細書
【補正対象項目名】００１０
【補正方法】変更
【補正の内容】
【００１０】
【課題を解決するための手段】
上述の目的を達成するため、本発明は、平面形状が略長方形のカード本体に設けられる接続構造であって、カード本体の挿入方向に沿って並列して配置された複数の外部接続用端子を備え、外部接続用端子が、デジタル信号転送用の端子と、リザーブ用端子とを有し、リザーブ用端子が、信号入力用又は出力用端子として使用されることによって、デジタル信号転送用の端子と合わせてパラレルインターフェースによる接続を可能とするものである。
【手続補正６】
【補正対象書類名】明細書
【補正対象項目名】００１１
【補正方法】変更
【補正の内容】
【００１１】
本発明に係る接続構造において、外部接続用端子は、両端の電圧供給端子（Ｖｓｓ）、ステータス端子（Ｓｔａｔｅ）、デジタル信号入力出力端子（ＤＩＯ）、同期信号入力端子（ＳＣＬＫ）、ＩＮＴ端子、電圧供給端子（Ｖｃｃ）、リザーブ端子（Ｒｅ）を有する。
【手続補正７】
【補正対象書類名】明細書
【補正対象項目名】００１２
【補正方法】変更
【補正の内容】
【００１２】
また、本発明は、平面形状が略長方形のカード本体に設けられる接続構造であって、カード本体の挿入方向前端からカード本体上面に亘って開口する凹状部と、カード本体の挿入方向に沿って凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、外部接続用端子の中央の端子がグランドに接続されている。
【手続補正８】
【補正対象書類名】明細書
【補正対象項目名】００１３
【補正方法】変更
【補正の内容】
【００１３】
さらに、本発明は、平面形状が略長方形のカード本体に設けられる接続構造であって、カード本体の挿入方向前端からカード本体上面に亘って開口する凹状部と、カード本体の挿入方向に沿って凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、外部接続用端子の中央の端子がＩＮＴ端子とされている。
【手続補正９】
【補正対象書類名】明細書
【補正対象項目名】００１４
【補正方法】変更
【補正の内容】
【００１４】
本発明に係るメモリカードは、平面形状が略長方形のカード本体の挿入方向に沿って並列して配置された複数の外部接続用端子を備え、外部接続用端子は、デジタル信号転送用の端子と、リザーブ用端子とを有し、リザーブ用端子が、信号入力用又は出力用端子として使用されることによって、デジタル信号転送用の端子と合わせてパラレルインターフェースによる接続を可能としている。
【手続補正１０】
【補正対象書類名】明細書
【補正対象項目名】００１５
【補正方法】変更
【補正の内容】
【００１５】
さらに、本発明に係るメモリカードは、平面形状が略長方形のカード本体の挿入方向前端からカード本体上面に亘って開口する凹状部と、カード本体の挿入方向に沿って凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、外部接続用端子の中央の端子がグランドに接続される。
【手続補正１１】
【補正対象書類名】明細書
【補正対象項目名】００１６
【補正方法】変更
【補正の内容】
【００１６】
さらにまた、本発明に係るメモリカードは、平面形状が略長方形のカード本体の挿入方向前端からカード本体上面に亘って開口する凹状部と、カード本体の挿入方向に沿って凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、外部接続用端子の中央の端子がＩＮＴ端子とされている。
【手続補正１２】
【補正対象書類名】明細書
【補正対象項目名】００１７
【補正方法】変更
【補正の内容】
【００１７】
本発明は、メモリカードの装着装置であり、平面形状が略長方形のカード本体の挿入方向に沿って並列して配置された複数の外部接続用端子を備え、外部接続用端子は、デジタル信号転送用の端子と、リザーブ用端子とを有し、リザーブ用端子は、信号入力用又は出力用端子として使用することによって、デジタル信号転送用の端子と合わせてパラレルインターフェースによる接続を可能とするメモリカードが装着される。
【手続補正１３】
【補正対象書類名】明細書
【補正対象項目名】００１８
【補正方法】変更
【補正の内容】
【００１８】
また、本発明に係るメモリカードの装着装置には、平面形状が略長方形のカード本体の挿入方向前端からカード本体上面に亘って開口する凹状部と、カード本体の挿入方向に沿って上記凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、外部接続用端子の中央の端子がグランドに接続されるメモリカードが装着される。
【手続補正１４】
【補正対象書類名】明細書
【補正対象項目名】００１９
【補正方法】変更
【補正の内容】
【００１９】
さらに、本発明に係るメモリカードの装着装置には、平面形状が略長方形のカード本体の挿入方向前端からカード本体上面に亘って開口する凹状部と、カード本体の挿入方向に沿って凹状部内に並列して配置された複数の外部接続用端子とを備え、凹状部内には、外部接続用端子間の少なくとも一の領域にこの外部接続用端子への外部からの接触を防止するための突起部が上記凹状部の前端側開口部から当該前端側開口部と平行な壁面に亘って形成されているとともに、外部接続用端子の中央の端子がＩＮＴ端子であるメモリカードが装着される。
【手続補正１５】
【補正対象書類名】明細書
【補正対象項目名】００２０
【補正方法】変更
【補正の内容】
【００２０】
さらにまた、本発明は、メモリカードを用いた情報信号の書き込み又は読み出しシステムであり、このシステムには、平面形状が略長方形のカード本体の挿入方向に沿って並列して配置された複数の外部接続用端子を備え、上記外部接続用端子は、デジタル信号転送用の端子と、リザーブ用端子とを有し、上記リザーブ用端子は、信号入力用又は出力用端子として使用することによって、上記デジタル信号転送用の端子と合わせてパラレルインターフェースによる接続を可能とするメモリカードが装着される。
【手続補正１６】
【補正対象書類名】明細書
【補正対象項目名】００２１
【補正方法】変更
【補正の内容】
【００２１】
本発明に係る情報信号の書き込み又は読み出しシステムには、
状部と、カード本体の挿入方向に沿って凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、外部接続用端子の中央の端子がグランドに接続されるメモリカードが装着され、あるいは、平面形状が略長方形のカード本体の挿入方向前端からカード本体上面に亘って開口する凹状部と、カード本体の挿入方向に沿って凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、外部接続用端子の中央の端子がＩＮＴ端子であるメモリカードが装着される。